(57)【要約】      （修正有）【課題】衣服のポケットや鞄などに入れて携行することが容易であるばかりか、衛生的に携行できる携帯用浄活水器を提供する。【解決手段】携帯用浄活水器は、水に触れてその水の浄化と活性化とを行う機能を発揮する浄活水剤４を保持し、かつ、水の出入りが可能な通水孔２ａを有する浄活水器本体２と、この浄活水器本体２を出し入れ可能に密封して収容するケースとを備えている。ケースは、浄活水器本体２の一部を嵌め込んで保持する保持部３０ｃを設けた柄部３０と、保持部３０ｃの外側に突出している突出部２ｄを抜脱可能に挿入し、かつ、出入口３１ａに保持部３０ｃを着脱可能に嵌め込んで柄部３０に一体に結合される鞘部３１とを備え、柄部３０の摘み部３０ｂを摘んで浄活水器本体２の突出部２ｄをたとえばコップ内に入れた水に浸漬または浸漬・撹拌することで、その水の浄化と活性化とを行う。【選択図】図２
0003113970.tif 000002
【実用新案登録請求の範囲】
【請求項１】
水に触れてその水の浄化と活性化とを行う機能を発揮する浄活水剤を保持し、かつ、水の出入りが可能な浄活水器本体と、この浄活水器本体を出し入れ可能に密封して収容するケースと、を備えていることを特徴とする携帯用浄活水器。
【請求項２】
請求項１において、
前記ケースは、前記浄活水器本体の一部を嵌め込んで保持する保持部を設けた柄部と、この保持部の外側に突出している浄活水器本体の突出部を抜脱可能に挿入するとともに、その出入口に前記保持部を着脱可能に嵌め込んで前記柄部に一体に結合される鞘部と、を備えていることを特徴とする携帯用浄活水器。
【請求項３】
請求項１または請求項２において、
前記浄活水器本体は、割れ目を有して半径方向に拡縮する弾性を備えた筒体からなることを特徴とする携帯用浄活水器。
【請求項４】
請求項１または請求項２において、
前記ケースの鞘部の出入口の内部に、前記柄部の保持部の着脱を許容するとともに、当該保持部を弾性保持して、鞘部と柄部の自然分離を防止する弾性保持部材が設けられていることを特徴とする携帯用浄活水器。
【考案の詳細な説明】
【技術分野】
【０００１】
本考案は、携帯用浄活水器に係り、特に、携帯可能な利便性を有し、かつ、容器に注がれた水を浄活水剤と接触させることによって、水の浄化と活性化とを行わせるようになっている携帯用浄活水器に関するものである。
【背景技術】
【０００２】
国内の水道水は、一部を除いてその大半が塩素によって消毒される。特に、水源の水質が悪い地域では、塩素の投入比率が高くなり、この塩素が水に含まれているアンモニアと結合して一般にカルキ臭と呼ばれる異臭が強くなる。また、燐や窒素成分の混入によって水質が悪化したり、藻類から放出される分泌物の影響などによってカビ臭と呼ばれる異臭を発する。したがって、飲用に際しては、前記の異臭によって水の味が低下し、「水道水はまずい」との烙印が押される要因になっている。
【０００３】
そこで、本考案出願人は、水道水などの水をボトル型容器に入れておくだけで、その水が容器内に装填したカプセルに出入りしてカプセル内の浄活水剤に接触し、浄化と活性化とがなされることで、カルキ臭やカビ臭などの異臭の除去、水道水のミネラルバランスの調節、マイナスイオン・赤外線波動の付与、硬度の調節などを行うことで、水の味をよくする浄活水器を提供している。
【０００４】
【特許文献１】特開２００２−２１９４７３
【考案の開示】
【考案が解決しようとする課題】
【０００５】
前記特許文献に記載された浄活水器は、ドライブや旅行などに際して自動車に積んで搬送したり、現地での散策時などに携行することが容易であるため、活用範囲の拡大を図れる。ところが、水道水を入れるボトル型容器は、その容積が比較的大きいので、衣服のポケットや鞄などに入れて携行するのには不向きであると言わざるを得ない。
【０００６】
そこで、本考案は、衣服のポケットや鞄などに入れて携行することが容易であるばかりか、衛生的に携行できる携帯用浄活水器を提供することを目的としている。
【課題を解決するための手段】
【０００７】
前記目的を達成するために、本考案に係る携帯用浄活水器は、水に触れてその水の浄化と活性化とを行う機能を発揮する浄活水剤を保持し、かつ、水の出入りが可能な浄活水器本体と、この浄活水器本体を出し入れ可能に密封して収容するケースと、を備えていることを特徴とするものである。
【０００８】
これによれば、ケースから取り出した浄活水器本体またはケースから突出させた浄活水器本体の一部を、たとえばコップ内に入れた水に浸漬することで、その水が浄活水器本体に出入りして浄活水剤に接触し、コップ内に入れた水の浄化と活性化とが行われる。このため、浄化と活性化とがなされた水を飲用することができる。また、浄活水器本体および当該浄活水器本体を出し入れ可能に密封して収容するケースは、従来のボトル型容器よりも十分に小さく製作できることにより、ポケットや鞄などに入れて携行することが容易であるばかりか、コップ内に入れた水に浸漬される浄活水器本体は、常時は、ケースに密封して収容されているので衛生的に携行することができる。
【０００９】
前記ケースは、前記浄活水器本体の一部を嵌め込んで保持する保持部を設けた柄部と、この保持部の外側に突出している浄活水器本体の突出部を抜脱可能に挿入するとともに、その出入口に前記保持部を着脱可能に嵌め込んで前記柄部に一体に結合される鞘部と、を備えていることが望ましい。これによると、鞘部の出入口に柄部の保持部を着脱可能に嵌め込んだ鞘部と柄部とを一体に結合したケースに浄活水器本体を密封して収容できるので、衛生的に携行することができる。また、鞘部と柄部とを分離したのち、柄部の保持部を摘むことによって、この保持部の外側に突出している浄活水器本体の突出部に指先などが触れることなく、当該突出部のみをコップ内に入れた水に浸漬することができるので、衛生的な取り扱いが可能である。さらに、前記突出部のみをコップ内に入れた水に浸漬するとともに、摘んでいる柄部を適宜旋回させることにより、突出部でコップ内の水を撹拌してマドラーの機能を発揮することができる。これにより、浄活水器本体への水の出入りが促進されて水と浄活水剤との接触が高められ、水の浄化と活性化の作用を向上させることができる。
【００１０】
前記浄活水器本体は、割れ目を有して半径方向に拡縮する弾性を備えた筒体からなることが望ましい。これによると、弾性に抗して浄活水器本体を縮径させることで、浄活水器本体の一部を柄部の保持部に容易に嵌め込むことができるとともに、浄活水器本体の一部を柄部の保持部に嵌め込んだのちに、前記弾性に抗する縮径を解除して自然状態またはその付近まで弾性復帰させて浄活水器本体を拡径させることによって、浄活水器本体の一部の外面が保持部の内面に弾性的に圧接することになる。このため、浄活水器本体と柄部との自然発生的な分離は言うにおよばず、柄部を摘んだ状態で突出部でコップ内の水を撹拌する使用時のように外力が負荷される場合や、鞘部に突出部を挿脱する使用前後の操作時のように外力の負荷が懸念される場合などにおいても、浄活水器本体と柄部との分離を確実に防止することができる。
【００１１】
前記ケースの鞘部の出入口の内部に、前記柄部の保持部の着脱を許容するとともに、当該保持部を弾性保持して、鞘部と柄部の分離を防止する弾性保持部材を設けることが望ましい。これによると、鞘部と柄部とを一体に結合してなされる携行時における鞘部と柄部との分離による浄活水器本体の突出部の露出を確実に防止して、衛生的な携行を維持することができる。
【考案の効果】
【００１２】
本考案によれば、浄活水器本体および当該浄活水器本体を出し入れ可能に密封して収容するケースは、従来のボトル型容器よりも十分に小さく製作できることにより、ポケットや鞄などに入れて携行することが容易であるばかりか、コップ内に入れた水に浸漬される浄活水器本体は、常時は、ケースに密封して収容されているので衛生的に携行することができる。
【考案を実施するための最良の形態】
【００１３】
図１は、本考案に係る携帯用浄活水器の実施形態を示す正面図、図２は、鞘部から柄部と浄活水器本体とを抜き取った分離状態を一部破断して示す正面図、図３は、浄活水器本体の実施形態を示す正面図である。
【００１４】
図１〜図３において、携帯用浄活水器１は、水の出入りが可能な浄活水器本体２と、この浄活水器本体２を出し入れ可能に密封して収容するケース３とを備えている。
【００１５】
浄活水器本体２は、パンチングメタル状の通水孔２ａを設けたステンレスなどの発錆しない金属板からなり、軸方向の全長にのびる割れ目２ｂを有して半径方向に拡縮する弾性を備えた円筒状のもので、その内部には、水に触れてその水の浄化と活性化とを行う機能を発揮する浄活水剤４が装填して保持されている。そして、軸方向の両端開口部は、図４に示すように、複数の爪片２ｃの先端部を集合させることによって、複数の隙間２ｅを有して塞いである。
【００１６】
浄活水器本体２に装填して保持させておく浄活水剤４は、公知のものから適宜選択することが可能である。たとえば、水道水の浄化と活性化とを行わせたい場合には、水道水に含まれる残留塩素を取り除いて、カルキ臭やカビ臭などの異臭を除去する機能、水道水のミネラルバランスを調節する機能、水道水にマイナスイオン・赤外線波動を付与する機能、水道水の硬度を調節する機能などをを備えた浄活水剤４が用いられる。
【００１７】
図１、図２に示すケース３は、柄部３０と鞘部３１とを備え、これらは、互いに対向する先端に開口３０ａ，３１ａを設けて深絞り加工された円筒状のアルミ合金系の金属薄板からなる。柄部３０は、一様な内径の摘み部３０ｂと、この摘み部３０ｂよりも僅かに小径で先端に前記開口３０ａを有する保持部３０ｃとを備えている。また、鞘部３１は、柄部３０の摘み部３０ｂに等しい一様な内径を有し、先端の開口３１ａに出入口の機能を持たせている。そして、この出入口の内部、つまり開口３１ａの内部に、柄部３０の保持部３０ｃの挿脱（着脱）を許容するとともに、挿入された保持部３０ｃを弾性保持して、鞘部３１と柄部３０の自然分離を防止する弾性保持部材５が設けられている。
【００１８】
弾性保持部材５は、図５，図６に示す素材５Ａを、図２に示すように円筒状に曲成して鞘部３１の開口３１ａに嵌め込み、接着剤（図示省略）を介して開口３１ａの内面に接着してある。前記素材５Ａは、ステンレスなどの発錆しない金属薄板をプレス加工したもので、その上端部近傍には、複数の透孔５ｂが幅方向に所定の間隔を隔てて開設されているとともに、これら透孔５ｂの間に介在して上下にのびる複数のリブ５ｃには、当該素材５Ａを略円筒状に曲成した場合に径内方向に少し隆起する隆起部５ｄを形成してある。
【００１９】
一方、図３に示す自然状態での浄活水器本体２の外径ｄ１は、図２の柄部３０における保持部３０ｃの内径ｄ２よりも僅かに大きく設定され、保持部３０ｃの外径ｄ３は、弾性保持部材５における隆起部５ｄの対向距離ｄ４よりも僅かに大きく設定されている。
【００２０】
したがって、図３の浄活水器本体２を、その弾性に抗して指先で強く内側へ押圧することで割れ目２ｂの幅を縮小させると、浄活水器本体２の外径ｄ１を柄部３０の保持部３０ｃに挿入可能な大きさに縮径することができ、この状態で浄活水器本体２を、その一端部側から保持部３０ｃを通して柄部３０に挿入したのち、前記指先による内側への押圧を解除することにより、浄活水器本体２は弾性復帰して割れ目２ｂの幅が拡大されるとともに、外面の一部が保持部３０ｃの内面に弾性圧着して、図２のように、他端部側の突出部２ｄを柄部３０から突出させた状態で保持部３０ｃに保持される。このため、浄活水器本体２と柄部３０との自然発生的な分離は言うにおよばず、後述する柄部３０を摘んだ状態で突出部２ｄでたとえばコップ内の水を撹拌する使用時のように外力が負荷される場合や、鞘部３１に突出部２ｄを挿脱する使用前後の操作時のように外力の負荷が懸念される場合などにおいても、浄活水器本体２と柄部３０との分離を確実に防止することができる。
【００２１】
また、柄部３０の保持部３０ｃから外側に突出している浄活水器本体２の突出部２ｄを鞘部３１の開口３１ａ、つまり出入口から内部に挿入するとともに、その出入口に保持部３０ｃを嵌め込むことで、保持部３０ｃの外面が弾性保持部材５における複数のリブ５ｃに形成されている隆起部５ｄに干渉して、当該隆起部５ｄを径外方向に押圧して弾性変形させ、この弾性変形によって生じる径内方向への弾性復帰力によって保持部３０ｃを保持して、図１のように、鞘部３１と柄部３０とを一体に結合した携帯用浄活水器１を構成することができる。
【００２２】
携帯用浄活水器１の鞘部３１と柄部３０とで構成されるケース３は、従来のボトル型容器よりも十分に小さく製作できるので、ポケットや鞄などに入れて携行することが容易である。しかも、弾性保持部材５の弾性保持力によって、携行時における鞘部３１と柄部３０との分離による浄活水器本体２の突出部２ｄの露出が確実に防止されるので、衛生的な携行が可能になる。
【００２３】
また、図１に示す携帯用浄活水器１によれば、図２のように鞘部３１から柄部３０と浄活水器本体２とを抜き出し、柄部３０の摘み部３０ｂを摘んだ状態で浄活水器本体２の突出部２ｄをたとえばコップ内に入れた水に浸漬することで、その水が浄活水器本体２に出入りして浄活水剤４に接触し、コップ内に入れた水の浄化と活性化とが行われる。このため、浄化と活性化とがなされた水を飲用することができる。
【００２４】
しかも、水に浸漬される浄活水器本体２は、常時は、ケース３に密封して収容されているので衛生的である。また、柄部３０の摘み部３０ｂを摘んだ状態で指が触れない清潔な突出部２ｄのみを水に浸漬することができるので、衛生的な取り扱いが可能になり、衛生状態のよい水を飲用することができる。さらに、突出部２ｄのみを水に浸漬するとともに、摘んでいる柄部３０を適宜旋回させることにより、突出部２ｄでたとえばコップ内の水を撹拌してマドラーの機能を発揮することができる。これにより、浄活水器本体２への水の出入りが促進されて水と浄活水剤４との接触が高められ、水の浄化と活性化の作用をより一層向上させることができる。
【００２５】
なお、前記実施形態では、浄活水器本体２を、軸方向の全長にのびる割れ目２ｂを有して半径方向に拡縮する弾性を備えた円筒状のものを使用しているが、角筒状のものであってもよい。また、ステンレスなどの発錆しない金属板に代えて、高弾性・高剛性特性を備えた合成樹脂によって浄活水器本体２を構成してもよい。
【００２６】
さらに、前記実施形態では、柄部３０と鞘部３１とを備えているケース３を、深絞り加工された円筒状のアルミ合金系の金属薄板によって構成しているが、角筒状のものであってもよい。また、アルミ合金系の金属薄板に代えて、合成樹脂やセラミックスなどによってケース３を構成してもよい。
【図面の簡単な説明】
【００２７】
【図１】本考案に係る携帯用浄活水器の実施形態を示す正面図である。
【図２】鞘部から柄部と浄活水器本体とを抜き取った分離状態を一部破断して示す正面図である。
【図３】浄活水器本体の実施形態を示す正面図である。
【図４】浄活水器本体の端部を拡大して示す説明図である。
【図５】弾性保持部材を構成する素材の実施形態を示す展開図である。
【図６】図５のＡ−Ａ線に沿う拡大断面図である。
【符号の説明】
【００２８】
１  携帯用浄活水器
２  浄活水器本体
２ｂ  割れ目
２ｄ  突出部
３  ケース
３０  柄部
３０ｃ  保持部
３１  鞘部
３１ａ  開口（出入口）
４  浄活水剤
５  弾性保持部材
【図１】
0003113970.tif 000003
【図２】
0003113970.tif 000004
【図３】
0003113970.tif 000005
【図４】
0003113970.tif 000006
【図５】
0003113970.tif 000007
【図６】
0003113970.tif 000008